(57)【要約】【課題】  布団内への外気の進入を防ぐと共に、各着用者が布団内におけるそれぞれの占有空間の温度を自己に適正な温度に調整することができ、さらに、着用者を必要以上に圧迫することがない成人二名で着用可能なサイズを有する掛け布団を提供する。【解決手段】  被覆体と該被覆体内に封入される充填材とからなる成人二名で着用可能なサイズを有する掛け布団において、前記被覆体の幅方向中央部分であって着用時に着用者と接する側の面に襟元から足元まで伸びる突起部を形成する。【選択図】  図１
2006051093.tif 000002
【特許請求の範囲】
【請求項１】
被覆体と該被覆体内に封入される充填材とからなる成人二名で着用可能なサイズを有する掛け布団において、前記被覆体の幅方向中央部分であって着用時に着用者に接する側の面に襟元から足元まで伸びる突起部が形成されていることを特徴とする掛け布団。
【請求項２】
被覆体が複数の区画に区分されていると共に各区画毎に充填材が封入されており、被覆体の襟元を除いた周辺に位置する全部又は一部の区画に封入された充填材の比重が、被覆体の幅方向中央部分の両側に位置する区画であって被覆体の襟元を除いた周辺に位置する区画以外の区画に封入された充填材の比重よりも重い請求項１記載の掛け布団。
【請求項３】
被覆体の襟元を除いた周辺に位置する一部の区画が被覆体の足元に位置する区画である請求項２記載の掛け布団。
【請求項４】
被覆体の襟元を除いた周辺に位置する一部の区画が被覆体の両側に位置する区画である請求項２記載の掛け布団。
【発明の詳細な説明】
【技術分野】
【０００１】
本発明は、成人二名で着用可能なサイズを有する掛け布団に関するものである。
【背景技術】
【０００２】
周知の通り、成人二名で着用可能なサイズ、即ち、ダブルサイズ、クイーンサイズ又はキングサイズの掛け布団を着用（使用−以下、同じ）する場合には、両着用者の間に掛け布団が入り込まずに隙間が形成されるため、その隙間から外気が流れ込んで着用者の体が冷えてしまうことがあり、また、布団内の空間を両着用者の身体から発生する熱が自由に移動するため、各着用者が布団内におけるそれぞれの占有空間の温度を自己に適正な温度に調整することができないなどの掛け布団を一人で着用する場合には生じない特有の問題があり、これらの問題を解決すべく種々の掛け布団が開発されている。
【０００３】
例えば、後出特許文献１には、添い寝用隙間防止掛け布団であって、二人が布団に入って伏した場合の、頭部の出る辺の中央部に凸状部分が形成されており、人体二人の間の隙間に、当該凸状部分が蓋状に垂れ下がるように設定されている添い寝用隙間防止掛け布団が開示されている。
【０００４】
しかし、前記特許文献１記載の掛け布団においては、凸状部分が両着用者の間に形成される隙間を塞ぐ役割を果たしているため、布団内へ外気が流れ込むことは防止できるが、本体部分に関して凸状部分を襟元の中央部のみに形成しているから、布団内の空間を両着用者の身体から発生する熱が自由に移動するため、各着用者が布団内におけるそれぞれの占有空間の温度を自己に適正な温度に調整することができないという問題は解決されておらず、しかも、凸状部分が蓋状に垂れ下がった状態となるから、着用者の首部近傍が必要以上に圧迫されるという問題点もあった。
【特許文献１】特開２００１−３４０１９６号公報
【発明の開示】
【発明が解決しようとする課題】
【０００５】
そこで、本発明は、布団内への外気の進入を防ぐと共に、各着用者が布団内におけるそれぞれの占有空間の温度を自己に適正な温度に調整することができ、しかも、着用者を必要以上に圧迫することがない成人二名で着用可能なサイズを有する掛け布団を提供することを技術的課題として、その具現化をはかるべく試作・実験を重ねた結果、被覆体と該被覆体内に封入される充填材とからなる成人二名で着用可能なサイズを有する掛け布団において、被覆体の幅方向中央部分であって着用時に着用者に接する側の面（掛け布団の裏面）に襟元から足元まで伸びる突起部を形成すれば、前記課題を全て解決できるという刮目すべき知見を得、前記技術的課題を達成したものである。
【課題を解決するための手段】
【０００６】
前記技術的課題は、次の通りの本発明によって解決できる。
【０００７】
即ち、本発明に係る掛け布団は、被覆体と該被覆体内に封入される充填材とからなる成人二名で着用可能なサイズを有する掛け布団において、被覆体の幅方向中央部分であって着用時に着用者と接する側の面に襟元から足元まで伸びる突起部が形成されているものである。
【０００８】
また、本発明は、前記掛け布団において、被覆体が複数の区画に区分されていると共に各区画毎に充填材が封入されており、被覆体の襟元を除いた周辺に位置する全部又は一部の区画に封入された充填材の比重が、被覆体の幅方向中央部分の両側に位置する区画であって被覆体の襟元を除いた周辺に位置する区画以外の区画に封入された充填材の比重よりも重いものである。
【０００９】
また、本発明は、前記掛け布団において、被覆体の襟元を除いた周辺に位置する一部の区画が、被覆体の足元に位置する区画、又は、被覆体の両側辺に位置する区画のものである。
【発明の効果】
【００１０】
本発明によれば、各着用者の間に襟元から足元まで伸びる突起部が設けられているため、両着用者の間に生じる隙間が突起部で埋められて布団内へ外気が入り込むことが防止でき、また、突起部によって布団内が二つの空間に区切られるため、布団内において両着用者から発生する熱が該二つの空間の間を自由に移動できなくなり、各空間毎に布団内の温度を調整することが可能となって、各着用者が布団内におけるそれぞれの占有空間の温度を自己に適正な温度に調整することができる。さらに、突起部の高さを着用者の胸板の厚さよりも高く設定すれば、突起部が掛け布団を支える役割を果たし、これによって掛け布団の重量による両着用者に対する圧迫が軽減される。
【００１１】
また、掛け布団の周辺部分に封入させる充填材の比重を重くすることにより、着用者が使用した際に掛け布団の周辺部分が垂れ下がった状態となって着用者を囲い込むため、布団内の保温性がより向上すると共に、寝返りなどによる掛け布団のずれを抑制することができる。
【００１２】
従って、本発明の産業上利用性は非常に高いといえる。
【発明を実施するための最良の形態】
【００１３】
以下、本発明の実施の形態を図面に基づき説明する。
【００１４】
実施の形態１．
【００１５】
図１は本実施の形態に係る掛け布団を示した横断面図であり、図２は図１に示す掛け布団の襠を透視した状態を示した斜視図であり、図３は図１に示す掛け布団の使用状態を示した図面である。これらの図において、１は、長方形状の被覆体２と、被覆体２内に封入される充填材３とからなる掛け布団であり、この掛け布団１は、成人二名で着用可能なサイズを有している。なお、成人二名で着用可能なサイズとは、一般に、ダブルサイズ、クイーンサイズ又はキングサイズと呼ばれているサイズである。
【００１６】
被覆体２は、表地４と裏地５との周縁部を縫合してなる袋状のものであり、被覆体２内には、図２に示すように、被覆体２の縦方向に伸びる縦仕切り襠６と被覆体の横方向に伸びる横仕切り襠７とが設けられている。
【００１７】
縦仕切り襠６は、被覆体２内を横方向に五分割するように四本配列されており、その内の一対の縦仕切り襠６ａ，６ａは、被覆体２の横方向中央部分を挟むように配列されている。各縦仕切り襠６は、図１に示すように、表地４と裏地５との間に介在する幅を残した状態で、上辺が表地４に縫い付けられていると共に、下辺が裏地５に縫い付けられている。なお、一対の縦仕切り襠６ａ，６ａの間に挟まれる表地４の幅と裏地５の幅とを比べると、表地４の幅よりも裏地５の幅の方が広くなっており、一対の縦仕切り襠６ａ，６ａの間に挟まれる裏地５は弛んだ状態になっている。裏地５の弛みの高さＸ（図１中、矢印Ｘ）は、１０〜５０ｃｍ、より好ましくは１５〜３０ｃｍである。なお、掛け布団１の着用者の胸板の厚さよりも僅かに高く設定しておくとより好ましい。
【００１８】
横仕切り襠７は、被覆体２内を縦方向に六分割するように五本配列されており、いずれの横仕切り襠７も四本の縦仕切り襠６によって五本の短尺横仕切り襠８に分割されている。各横仕切り襠７は、表地４と裏地５との間に介在する幅を残した状態で、上辺が表地４に縫い付けられていると共に、下辺が裏地５に縫い付けられている。なお、各横仕切り襠における一対の縦仕切り襠６ａ，６ａの間に位置付けられる短尺横仕切り襠８ａは、裏地５の弛んだ形状に合うように下辺が湾曲状に形成されている。
【００１９】
そして、被覆体２内は、縦仕切り襠６と横仕切り襠７とによって複数の区画９に分割され、各区画９毎に充填材３が封入されている。なお、被覆体２内における一対の縦仕切り襠６ａ，６ａの間に位置する区画９ａ，９ａ，…に対して充填材３が封入されると、弛んだ状態の裏地５が膨らんで、掛け布団１の着用者と対向する側の面に突起部１０が形成される。
【００２０】
被覆体２としては、木綿布帛、麻布帛、絹布帛、合成繊維布帛などが使用できる。
【００２１】
充填材３としては、羽毛、羽根、綿、ウール（カシミヤやキャメルを含む）、シルク、麻又は合成繊維から選ばれる単体又は二種以上を混合したものが使用でき、また、被覆体２内に形成された各区画９毎に充填材３の素材を変更することもできる。
【００２２】
なお、縦仕切り襠や横仕切り襠の本数は前記本数に限定されることなく、適宜変更することができる。
【００２３】
次に、本実施の形態に係る掛け布団の使用状態を説明する。
【００２４】
掛け布団１を二名で着用すると、図３に示すように、両着用者の間に形成される隙間に対して突起部１０が納まった状態となって該隙間が塞がれる。このとき、突起部１０の高さを着用者の胸板の厚さよりも僅かに高く設定しておくと、突起部１０の下端が敷布団１１に突き当たって掛け布団１を支持した状態となり、掛け布団１の重量による両着用者への圧迫が軽減される。
【００２５】
実施の形態２．
【００２６】
本実施の形態は前記実施の形態１に係る掛け布団の変形例であり、図４は本実施の形態に係る掛け布団の被覆体内に形成される各区画に封入された充填材の比重差を説明する平面図であり、図４の（ａ）は変形例１を示しており、図４の（ｂ）は変形例２を示しており、図４の（ｃ）は変形例３を示しており、各図において、封入された充填材の比重が重い区画を斜線にて示している。なお、図４において、図１〜図３と同一符号は同一又は相当部分を示している。
【００２７】
変形例１：本変形例に係る掛け布団においては、図４の（ａ）に示すように、被覆体２の足元に位置する区画９ｂ，９ｂ，…に封入された充填材３の比重が、被覆体２の区画９ａ，９ａ，…の両側に位置する区画９であって被覆体２の襟元を除いた周辺に位置する区画９以外の区画９ｃ，９ｃ，…に封入された充填材３の比重よりも重くなっている。
【００２８】
変形例２：本変形例に係る掛け布団においては、図４の（ｂ）に示すように、被覆体２の両側辺に位置する区画９ｄ，９ｄ，…に封入された充填材３の比重が、被覆体２の区画９ａ，９ａ，…の両側に位置する区画９であって被覆体２の襟元を除いた周辺に位置する区画９以外の区画９ｃ，９ｃ，…に封入された充填材３の比重よりも重くなっている。
【００２９】
変形例３：本変形例に係る掛け布団においては、図４の（ｃ）に示すように、被覆体２の襟元を除いた周辺に位置する区画９ｂ，９ｂ，…及び区画９ｄ，９ｄ，…に封入された充填材３の比重が、被覆体２の区画９ａ，９ａ，…の両側に位置する区画９であって被覆体２の襟元を除いた周辺に位置する区画９以外の区画９ｃ，９ｃ，…に封入された充填材３の比重よりも重くなっている。
【００３０】
なお、具体的には、区画９ｂ，９ｂ，…や区画９ｄ，９ｄ，…に封入された充填材３の比重を、区画９ｃ，９ｃ，…に封入された充填材３の比重の１．５〜６倍、より好ましくは２〜３倍にすればよい。区画によって封入される充填材の比重を変更するには、異なる比重を有する充填材を封入したり、同じ体積に対して異なる量の充填材を封入したりすればよい。
【００３１】
本実施の形態に係る各変形例によれば、掛け布団の襟元を除く周縁部に設けられた各区画に封入された充填材の比重が重いので、当該周縁部が垂れ下がった状態となって敷布団に密着して布団内の空気が布団外に漏れ難くなるため、布団内の保温力が向上する。しかも、掛け布団に形成された突起部によって掛け布団の中央部分が持ち上げられるため、当該周縁部が垂れ下がった状態になったとしても、掛け布団と敷布団との間に断面楔形状の空間が確保されるため、着用者への圧迫が軽減される。
【図面の簡単な説明】
【００３２】
【図１】実施の形態１に係る掛け布団を示した横断面図である。
【図２】図１に示す掛け布団の襠を透視した斜視図である。
【図３】図１に示す掛け布団の使用状態を示した図面である。
【図４】実施の形態２に係る掛け布団の被覆体内に形成される各区画に封入された充填材の比重差を説明する平面図である。
【符号の説明】
【００３３】
１  掛け布団
２  被覆体
３  充填材
４  表地
５  裏地
６  縦仕切り襠
７  横仕切り襠
８  短尺横仕切り襠
９  区画
１０  突起部
１１  敷布団
【図１】
2006051093.tif 000003
【図２】
2006051093.tif 000004
【図３】
2006051093.tif 000005
【図４】
2006051093.tif 000006